(57)【要約】 【課題】  販売対象となるペットに対し、展示中においてもストレスを蓄積させにくく、また、ペットの性格などを容易に把握することができ、購入後のペットの飼育方法の実践などもわかりやすく顧客に伝えることができるペット販売用ブース構造を提供する。【解決手段】  ペット販売用ブース構造１は、個別小展示区画２と共通大展示区画３とを有する。個別小展示区画２は、壁部にて各々個別に区画され、内部の空間が販売すべきペットの個別収容空間５をなすとともに、前面側壁部が、内部のペットＤ，Ｋを展示可能に形成された第一の展示用壁部６とされてなる個別ペット収納部４を複数集合させたものである。また、共通大展示区画３は、個々の個別ペット収納部４よりは大きな床面積と高さとを有するように壁部にて区画され、内部空間が、各個別ペット収納部４に収容された複数のペットＤ，Ｋの間で共有される放し飼い空間７をなすとともに、壁部前面が内部を展示可能に形成された第二の展示用壁部８とされている。【選択図】    図２
0003104277.tif 000002
【実用新案登録請求の範囲】
【請求項１】
壁部にて各々個別に区画され、内部の空間が販売すべきペットの個別収容空間をなすとともに、前面側壁部が、内部のペットを展示可能に形成された第一の展示用壁部とされてなる個別ペット収納部を複数集合させた個別小展示区画と、
個々の前記個別ペット収納部よりは大きな床面積と高さとを有するように壁部にて区画され、内部空間が、各前記個別ペット収納部に収容された複数のペットの間で共有される放し飼い空間をなすとともに、壁部前面が内部を展示可能に形成された第二の展示用壁部とされ、任意の前記個別ペット収納部から取り出されたペットを前記放し飼い空間にて放し飼いにしつつ、前記第二の展示用壁部を介して該放し飼い状態のペットを展示できるようにした共通大展示区画と、
を備えたことを特徴とするペット販売用ブース構造。
【請求項２】
前記個別小展示区画と前記共通大展示区画は、前記第一の展示用壁部と前記第二の展示用壁部との向きが一致するように、隣接して配置されている請求項１記載のペット販売用ブース構造。
【請求項３】
前記共通大展示区画に、前記ペットが遊ぶための遊具が設けられている請求項１又は請求項２に記載のペット販売用ブース構造。
【請求項４】
前記遊具は、人間の子供用に作られた床置き型の遊具施設である請求項３記載のペット販売用ブース構造。
【請求項５】
前記ペットが猫であり、前記遊具は、前記共通大展示区画の壁面に設けられた前記猫が上って遊ぶためのステップである請求項１ないし請求項３のいずれか１項に記載のペット販売用ブース構造。
【請求項６】
前記共通大展示区画の床面に、前記ペットのトイレが設置されている請求項１ないし請求項５のいずれか１項に記載のペット販売用ブース構造。
【請求項７】
前記個別小展示区画の複数の前記個別ペット収納部には、子犬用収納部と子猫用収納部とが混在して配置され、前記共通大展示区画の前記放し飼い空間は、その収納された子犬と子猫とを同時に放し飼いにして遊ばせる空間とされている請求項１ないし請求項６のいずれか１項に記載のペット販売用ブース構造。
【請求項８】
前記共通大展示区画の前記放し飼い空間の床面から天井までの高さは、大人が立って歩行可能な高さに定められている請求項１ないし請求項７のいずれか１項に記載のペット販売用ブース構造。
【請求項９】
前記共通大展示区画の前記第二の展示用壁部は、前記放し飼い空間の天井位置を上限とする壁部領域全体に占める面積割合の７０％以上が、前記放し飼い空間の視認可能領域とされている請求項８記載のペット販売用ブース構造。
【請求項１０】
前記第二の展示用壁部において、前記放し飼い空間の視認可能領域は、内部のペットの行き来ないし出し入れが不能となる壁部領域と、内部のペットが自力で行き来することが不可能な高さであって、大人の上半身は包含する高さ位置に設けられた開放窓部領域とからなる請求項１ないし請求項９のいずれか１項に記載のペット販売用ブース構造。
【請求項１１】
前記第二の展示用壁部の前記放し飼い空間の視認可能領域が、透明板にて形成されている請求項１ないし請求項１０のいずれか１項に記載のペット販売用ブース構造。
【請求項１２】
前記第二の展示用壁部の前記放し飼い空間の視認可能領域は、その幅方向の一部区間において、前記透明板の上部を一部切り欠く形で、大人の上半身を包含する開放窓部領域が形成されてなる請求項１１記載のペット販売用ブース構造。
【請求項１３】
前記個別小展示区画と前記共通大展示区画とに共通に隣接する形でペット管理スペースが区画形成され、前記ペットは、該ペット管理スペースを介して前記個別小展示区画の前記個別ペット収納部と、前記共通大展示区画との間を行き来できるようになっている請求項１ないし請求項１２のいずれか１項に記載のペット販売用ブース構造。
【請求項１４】
前記共通大展示区画の前記ペット管理スペースに面する壁部には、前記放し飼い空間へ前記ペット及び人が出入りするための、扉により開閉可能な出入り口が形成され、前記個別小展示区画の前記ペット管理スペースに面する壁部には、個々の前記個別ペット収納部毎に前記ペットを出し入れするための、扉により開閉可能な出し入れ口が形成されている請求項１３記載のペット販売用ブース構造。
【請求項１５】
前記個別小展示区画が前記共通大展示区画よりも小さな奥行きとなるように互いに隣接して配置され、前記個別小展示区画の後端面と、前記共通大展示区画の隣接側側壁面のうち、前記個別小展示区画の後端面よりも延出する部分とにより、前記ペット管理スペースが区画されている請求項１３又は請求項１４に記載のペット販売用ブース構造。
【請求項１６】
前記ペットが前記共通大展示区画から前記ペット管理スペースの床面に向けて自力で飛び降りることを抑制でき、かつ、前記ペット管理スペースの床面と前記共通大展示区画の床面との間を人が昇降できる程度に、前記共通大展示区画の床面が前記ペット管理スペースの床面よりも上げ底されてなる請求項１３ないし請求項１５のいずれか１項に記載のペット販売用ブース構造。
【請求項１７】
前記ペットが子犬であり、前記共通大展示区画の床面の前記ペット管理スペースの床面に対する上げ底高さが２０ｃｍ以上４０ｃｍ以下に設定されている請求項１６記載のペット販売用ブース構造。
【請求項１８】
前記ペット管理スペースは、ブース設置の基準床面を自身の床面として共用するものであり、前記共通大展示区画の上げ底された床面と前記基準床面との間が中空空間とされている請求項１７記載のペット販売用ブース構造。
【請求項１９】
前記共通大展示区画の天井裏空間に、該共通大展示区画の内部を脱臭しつつ排気する排気ダクトが設けられている請求項１ないし請求項１８のいずれか１項に記載のペット販売用ブース構造。
【請求項２０】
前記排気ダクト上に消臭用のフィルタリング部を設けた請求項１９記載のペット販売用ブース構造。
【請求項２１】
前記ペット管理スペースの天井裏空間に、前記共通大展示区画とは独立して、該ペット管理スペースの内部を脱臭しつつ排気する排気ダクトが設けられている請求項１９又は２０に記載のペット販売用ブース構造。
【請求項２２】
前記排気ダクト上に消臭用のフィルタリング部を設けた請求項２１記載のペット販売用ブース構造。
【請求項２３】
前記共通大展示区画の背面側壁部の後方に、一定距離をおいてブース背面側側壁部が立設され、両壁部間の距離だけ前記ペット管理スペースをブース奥行き方向に拡張した請求項１３記載のペット販売用ブース構造。
【考案の詳細な説明】
【技術分野】
【０００１】
この考案は、ペットショップなどに据えつけて使用するペット販売用ブース構造に関する。
【背景技術】
【０００２】
犬や猫などのペットを販売する際には、一般には販売に係るペットを個別のケージに入れ、そのケージを、前面がガラス板などで構成された展示用ブロックに個別に収容して展示し、顧客にペットの様子を見てもらいながら販売に供する方法が一般的である。また、売られるペットはその多くが子犬や子猫などの幼少動物であり、その健康管理には十分注意する必要がある。
【考案の開示】
【考案が解決しようとする課題】
【０００３】
しかし、上記の方式では、販売対象となるペットが狭い展示用ブロックに閉じ込められるために、特に幼少の犬猫などの場合、閉鎖感に長時間圧迫されてストレスがたまりやすく、品質を落としやすい問題がある。特に、ペットについての知識がない顧客が心無くも展示用ブロックの前面ガラス等をたたいたりすると、逃げ場のないペットにかかるストレスは増長される一方となる。
【０００４】
また、別の問題として、閉じ込められた空間で圧迫された状態では、ペット本来の性格（おとなしい、いたずら好き、やんちゃ、神経質など）が表に現れにくく、店員が説明しても顧客に十分伝わらないことも多い。その結果、展示用ブロック内での見た目の印象で購入判断した顧客は、連れ帰ったペットの様子が豹変したりするのを見て狼狽したり、店側に苦情を申し出たりすることもありえる。顧客にとって、自分の家族として受け入れるペットが、家ではどのように飼い主になつき、どのように遊ぶのかは最も気になるところであるが、そもそもペットショップ内と、購入後の飼育場所（例えば屋内）とでは環境があまりにも違いすぎるので、連れて帰ってからのペットがどのように振舞うのかは、ペットについての知識が相当深い購入者でも予測しきれない部分がある。また、購入者側の飼育場所の状態によっても振る舞いが変わる可能性は多分にある。
【０００５】
すなわち、従来のペットショップでは、店員がいかに熱心に説明しようとも、顧客がペットの性格等を性格につかむことは不可能に近く、連れ帰ってからのペットの振る舞いを予測することはほとんど絶望的である。また、初心者の場合は、ペットの世話の仕方や手名づけ方を把握するのに、ペットショップの店員の説明に頼る他はないのであるが、言葉で伝えきれる内容には限界があるので、自宅へ連れ帰ってから初めてその大変さに気付き、最悪の場合は飼育放棄にもつながる惧れがある。特に、決められた場所でのトイレのさせ方などは、飼い主が乗り越えなければならない大きなステップであるが、従来のペットショップの方式では説明と実践との間のギャップが大きいこともあって、十分なサービスが果たされているとはいいがたい側面があった。
【０００６】
本考案の課題は、販売対象となるペットに対し、展示中においてもストレスを蓄積させにくく、また、ペットの性格などを容易に把握することができ、購入後のペットの飼育方法の実践などもわかりやすく顧客に伝えることができるペット販売用ブース構造を提供することにある。
【課題を解決するための手段及び考案の効果】
【０００７】
上記の課題を解決するために、本考案のペット販売用ブース構造は、
壁部にて各々個別に区画され、内部の空間が販売すべきペットの個別収容空間をなすとともに、前面側壁部が、内部のペットを展示可能に形成された第一の展示用壁部とされてなる個別ペット収納部を複数集合させた個別小展示区画と、
個々の個別ペット収納部よりは大きな床面積と高さとを有するように壁部にて区画され、内部空間が、各個別ペット収納部に収容された複数のペットの間で共有される放し飼い空間をなすとともに、壁部前面が内部を展示可能に形成された第二の展示用壁部とされ、任意の個別ペット収納部から取り出されたペットを放し飼い空間にて放し飼いにしつつ、第二の展示用壁部を介して該放し飼い状態のペットを展示できるようにした共通大展示区画と、
を備えたことを特徴とする。
【０００８】
上記本考案によると、従来どおりの個別ペット収納部からなる個別小展示区画に加えて、個々の個別ペット収納部よりは大きな床面積と高さとを有する共通大展示区画を設け、これを各個別ペット収納部に収容された複数のペットの間で共有される放し飼い空間として利用する。そして、その共通大展示区画の壁部前面を第二の展示用壁部とすることで、任意の個別ペット収納部から取り出されたペットを、より大きな空間で自由に放し飼いにすることができ、購入者は、個別小展示区画に入っている状態だけでなく、その放し飼いの様子をつぶさに観察することができる。その結果、以下のような効果を奏することができる。
【０００９】
（１）個別小展示区画内のペットを適度に個別ペット収納部から出してやり、共通大展示区画内で自由に遊ばせることで、ペットにストレスがたまりにくくなり、販売対象となるペットの健康維持に極めて好都合である。
（２）共通大展示区画内でペットを自由にしてやると、圧迫から解放されたペットは、その本来の性格を表出することができるようになり、購入者もこれを性格に把握できるので、購入判断の大いなる参考となる。
（３）自由に遊びまわるペットの様子は、個別ペット収納部での様子よりも格段に可愛らしく、顧客に対するＰＲ効果に優れる。特に動物好きの子供などは、たちまち虜となって、共通大展示区画の前に張り付き、離れられなくなるほどである。
（４）共通大展示区画内は、飼い主の家庭環境を擬似的に実現する空間として利用できるので、連れ帰ってからのペットが家ではどのように振舞うのかが非常にわかりやすく顧客に伝わり、飼育に対する心構えなども格段に向上させることができる。また、インストラクターなどによる正しい遊び方やしつけ方法なども、説明との併用によってより実践的にわかりやすく伝えることができ、初心者にとっても購買を考える上での大きな一助となる。
【考案を実施するための最良の形態】
【００１０】
以下、本考案の実施の形態を、図面を用いて説明する。図１は、本考案の一実施形態に係るペット販売用ブース構造の外観を示すものであり、図２はその内部構造を示すものである。該ペット販売用ブース構造１は、個別小展示区画２と共通大展示区画３とを有する。個別小展示区画２は、壁部にて各々個別に区画され、内部の空間が販売すべきペットの個別収容空間５をなすとともに、前面側壁部が、内部のペットＤ，Ｋを展示可能に形成された第一の展示用壁部６（ガラス板やアクリル板などの透明壁部とされている）とされてなる個別ペット収納部４を複数集合させたものである。また、共通大展示区画３は、個々の個別ペット収納部４よりは大きな床面積と高さとを有するように壁部にて区画され、内部空間が、各個別ペット収納部４に収容された複数のペットＤ，Ｋの間で共有される放し飼い空間７をなすとともに、壁部前面が内部を展示可能に形成された第二の展示用壁部８とされている。そして、任意の個別ペット収納部４から取り出されたペットＤ，Ｋを放し飼い空間７にて放し飼いにしつつ、第二の展示用壁部８から該放し飼い状態のペットＤ，Ｋを展示できるようにしてある。なお、ペット販売用ブース構造１は、上部が天井１ｃにて区画されている。なお、本実施形態では個別ペット収納部４にはペットを１頭ずつ収容し展示しているが、許容範囲内で複数頭（例えば２〜３頭）のペットを収容してもよい。
【００１１】
個別小展示区画２と共通大展示区画３とは、第一の展示用壁部６と第二の展示用壁部８との向きが一致するように、隣接して配置されている。これにより、個別小展示区画２から共通大展示区画３へのペットの移動距離を短くでき、やんちゃな子猫や子犬の移動にも手間取りにくくなる。たくさんある個別ペット収納部４のペットを一度に共通大展示区画３に移すことはできないから、時間を区切って交替でペットＤ，Ｋを共通大展示区画３に放すことが望ましく、また、ペットを過度にわがままにしない意味でも効果が大きい。しかし、個別小展示区画２内のペットを共通大展示区画３内で遊ばせてほしい、との要望が顧客から出されれば、すぐに隣の共通大展示区画３に移すことができ、個別小展示区画２内での様子と共通大展示区画内での様子も対比しやすくなる。
【００１２】
図２に示すように、共通大展示区画３に、ペットＤ，Ｋが遊ぶための遊具２１，２２を設けておくと、擬似的な家庭環境をよりリアルに実現でき、ペットＤ，Ｋの性格もより引き出しやすくなる。遊具は、人間の子供用に作られた床置き型の遊具施設２１（滑り台やジャングルジム、ブランコなどである）にすると、家に連れ帰ってからペットがどのようなものに喜び、家具等を利用してどのように遊べばよいかなどもよりわかりやすくなる。また、ペットが猫Ｋである場合、遊具は、共通大展示区画３の壁面に設けられた猫が上って遊ぶためのステップ２２にすると、家の階段などを使って猫がどのように振舞うかを特によく理解できる。
【００１３】
また、共通大展示区画３の床面に、ペットＤ，Ｋのトイレ２３を設置しておくと、ペットのトイレの様子や、インストラクターによるトイレのしつけ方などもより実践的に示すことができる。
【００１４】
ペット好きがよく遭遇する問題として、既に犬を飼っている人が、次に猫を飼いたく思っている場合や、その逆の場合に、一般には犬と猫とは仲が悪く、うまく飼育できないという先入観があり、飼育を諦めてしまう人も多いということである。しかし、子猫と子犬とは性格は異なるものの、お互いに好奇心に満ち、遊び好きであること、相手との遊びあいやじゃれあいから、相手の嫌がることと喜ぶこととを区別して学習する点などは、人間の子供と何ら変わりはなく、一緒に遊ばせれば何ら問題なく飼いならすことができるものである。そこで、図３に示すように、個別小展示区画２の複数の個別ペット収納部４には、子犬用収納部４Ｄと子猫用収納部４Ｋとを混在して配置しておき、共通大展示区画３の放し飼い空間７は、その収納された子犬Ｄと子猫Ｋとを同時に放し飼いにして遊ばせる空間とすることで、犬猫共存の飼育が十分に可能であることを、興味を持つ顧客にわかりやすく示すことができ、その購買意欲をくすぐることができる。
【００１５】
図２において、共通大展示区画３の放し飼い空間７の床面から天井までの高さｈは、図４のごとく、大人Ｗが立って歩行可能な高さ（例えば１８０ｃｍ以上、３００ｃｍ以下）に定められていると、店員やインストラクターが共通大展示区画３内にペットとともに入って、飼い方や遊び方の実践を顧客に示すことができるので好都合である。
【００１６】
次に、放し飼い空間７の中は、できるだけ全てが外から視認できることが、ペットの遊ぶ様子をつぶさに観察できるようにする観点において望ましい。この観点において、共通大展示区画３の第二の展示用壁部８は、放し飼い空間７の天井位置を上限とする壁部領域全体に占める面積割合の７０％以上が、放し飼い空間７の視認可能領域９とされているのがよい。
【００１７】
また、第二の展示用壁部８は、内部のペットＤ，Ｋが自力では行き来できない壁部構造により全面を形成してもよいが、インストラクターやペットとのコミュニケーションが壁越しとなり、ペットの雰囲気や手触りなども伝わりにくくなる難点がある。そこで、図４に示すように、放し飼い空間７の視認可能領域９は、内部のペットＤ，Ｋの行き来ないし出し入れが不能となる壁部領域１０と、内部のペットＤ，Ｋが自力で行き来することが不可能な高さＨ（例えば子猫など、壁面登りが上手なペットを考慮しても、Ｈが１ｍ前後の切り立った壁面にすれば十分であろう）、大人Ｗの上半身は包含する高さ位置に設けられた前述の開放窓部領域１１とからなるものしておくと効果的である。開放窓部領域１１では、インストラクターＷはじかに顧客Ｃと話をすることができ、親身な説明もより行ないやすくなるし、顧客ＣはインストラクターＷへの質問等も行ないやすい。さらに、インストラクターＷがペットＤを抱き上げて、望む顧客Ｃに触らせてあげたりする、といったサービスも実施できる。本実施形態では、第二の展示用壁部８の放し飼い空間７の視認可能領域９は、ガラスやアクリル板などの透明板１０にて形成され、内部の視認性が高められている。なお、透明板１０に代えて鉄格子や網などで視認可能領域を構成してもよい。
【００１８】
本実施形態では、第二の展示用壁部８の放し飼い空間７の視認可能領域９は、その幅方向の一部区間において、透明板１０の上部を一部切り欠く形で、大人Ｗの上半身を包含する開放窓部領域１１が形成されている（透明板１０はサッシ１０ｓにより、はめ殺しにされている）。この構造は、開放窓部領域１１の形成が容易である利点がある。なお、本実施形態では、閉店時には開放窓部領域１１をロールブラインド３０により塞ぐようにしているが、開放窓部領域１１を開閉可能に塞ぐ昇降式あるいは着脱式のスライド窓部を別途設けてもよい。
【００１９】
図２に戻り、個別小展示区画２と共通大展示区画３とには、これらに共通に隣接する形でペット管理スペース１２が区画形成されている。ペットＤ，Ｋは、該ペット管理スペース１２を介して個別小展示区画２の個別ペット収納部４と、共通大展示区画３との間を行き来できるようになっている。このようなペット管理スペース１２を設けることで、ペットの手入れなどを行ないやすくなり、共通大展示区画３への入れ換え作業も容易となる（例えば、個別小展示区画２からペットを取り出す際に逃げ回っても、ペット管理スペース１２の入口を閉鎖しておけば、外へ逃げ出す心配もない）。符号４０はペット用具などを洗ったりするためのシンクであり、符号４１は備品棚である。
【００２０】
図５に示すように、共通大展示区画３のペット管理スペース１２に面する壁部には、放し飼い空間７へペットＤ，Ｋ及び人Ｗが出入りするための、扉１４により開閉可能な出入り口１３が形成されている。共通大展示区画３からペットがみだりに逃げ出したりしないように、扉１４を設けておくと便利である。この扉１４は、本実施形態では、扉開閉時にペットと干渉したりすることがないよう、引き戸とされている。一方、個別小展示区画２のペット管理スペース１２に面する壁部には、個々の個別ペット収納部４毎にペットＤ，Ｋを出し入れするための、扉１５により開閉可能な出し入れ口１６が形成されている。これにより、ペット管理スペース１２を利用した個別小展示区画２と共通大展示区画３との間でペットを行き来させる作業を一層簡便に行なうことができる。本実施形態では、個別ペット収納部４内には、ペット収容用のケージ４ｃが配置され、符号１６はそのケージ４ｃの扉である。
【００２１】
本実施形態では、個別小展示区画２は共通大展示区画３よりも小さな奥行きとなるように互いに隣接して配置され、個別小展示区画２の後端面と、共通大展示区画３の隣接側側壁面のうち、個別小展示区画２の後端面よりも延出する部分とにより、ペット管理スペース１２が区画されている。これにより、ブース１を据えつけるフロア区画をより有効活用でき、デッドスペースをあまり生ずることなく、個別小展示区画２、共通大展示区画３及びペット管理スペース１２をコンパクトに併設することができる。
【００２２】
図６に示すように、共通大展示区画３の床面は、ペット管理スペース１２の床面よりも上げ底されている。これにより、ペットＤ，Ｋが共通大展示区画３からペット管理スペース１２の床面に向けて自力で飛び降りることを抑制でき、共通大展示区画３からペット管理スペース１２へペットがみだりに逃げ出したりすることを抑制できる。なお、ペット管理スペース１２の上げ底高さＵは、ペット管理スペース１２の床面Ｆ２と共通大展示区画３の床面Ｆ１との間を人が昇降できる程度に、その上限を設定してある。
【００２３】
上記のような上げ底により段差を形成する効果は、ペットが、高さに対する恐怖心が強い子犬Ｄである場合に特に有効である。この場合、共通大展示区画３の床面のペット管理スペース１２の床面に対する上げ底高さＵは、２０ｃｍ以上４０ｃｍ以下に設定しておくとよい。４０ｃｍを超えると、ペット管理スペース１２の床面Ｆ２と共通大展示区画３の床面Ｆ１との間を人が一歩で上るにはいささか高すぎるし、共通大展示区画３でのペットの展示位置が高くなりすぎ、展示効果が却って損なわれる難点がある。一方、２０ｃｍ未満ではペットの逃げ出し防止効果が必ずしも十分でなくなる。
【００２４】
なお、本実施形態では、図２に示すように、共通大展示区画３の背面側壁部３ＢＷの後方に、一定距離をおいてブース背面側側壁部１ＢＷが立設され、両壁部１ＢＷ，３ＢＷ間の距離だけペット管理スペース１２を奥行き方向に拡張してある。これにより、広いペット管理スペース１２を確保できる。また、本実施形態では、個別小展示区画２の奥行きが小さいので、その後方が主管理スペース１２Ａとされ、両壁部１ＢＷ，３ＢＷ間には廊下状の副管理スペース１２Ｂが形成されている。
【００２５】
ブース１を、貸し建物などのフリーフロアにテナントとして据えつける場合、ペット管理スペース１２は、ブース設置の基準床面ＳＦを自身の床面Ｆ２として共用するようにしておくと施工が簡単である。この場合、基準床面ＳＦは、貸し建物のコンクリートフロアにフローリングを施しただけのことも多く、その冷気がペットの健康に悪影響を及ぼすことも考えられる。そこで、共通大展示区画３の上げ底された床面Ｆ１と基準床面ＳＦとの間を図３のように中空空間Ｊとしておけば、基準床面ＳＦからの冷気が共通大展示区画３の床面Ｆ１に伝わりにくく、ペットＫ，Ｄの健康管理上も都合がよい。
【００２６】
共通大展示区画３はペットの出す臭気に満たされやすく、そのままでは、ペット自信やペットとともに中に入る店員やインストラクターの滞在環境としては厳しいものがある。そこで、共通大展示区画３（及びペット管理スペース１２）の天井裏空間に、図７に示すように、該共通大展示区画３の内部を脱臭しつつ排気する排気ダクト１８を設けておくとよい。図において、排気ダクト１８の途上には排気ファンユニット１８ｐと、不織布や活性炭などで構成されたフィルタリング部１８ｆが設けられ、共通大展示区画３内の開口１８ｑからフィルタリング部１８ｆを経由して外部排気口１８ｙへ排気するようにしている。なお、本実施形態では、ペット管理スペース１２についても、その天井裏空間に、共通大展示区画３とは独立して、該ペット管理スペース１２の内部を脱臭しつつ排気する排気ダクト１９を設け（同様に不織布や活性炭などで構成されたフィルタリング部１９ｆを設けても良い）、消臭効果をより高めている。なお、フィルタリング部１８ｆ，１９ｆは、臭気成分や塵埃等を吸着除去し、室内を清潔に保つだけでなく、外部に臭気等が一方的に漏れ出ることを防止する役割も果たす。
【図面の簡単な説明】
【００２７】
【図１】本考案のペット販売用ブース構造の一例を示す外観斜視図。
【図２】図１のペット販売用ブース構造を、内部構造とともに示す斜視図。
【図３】図１のペット販売用ブース構造の第一の効果説明図。
【図４】図１のペット販売用ブース構造の第二の効果説明図。
【図５】図１のペット販売用ブース構造の平面図。
【図６】図１のペット販売用ブース構造の第三の効果説明図。
【図７】図１のペット販売用ブース構造の天井裏のダクト配管構造を示す平面図。
【符号の説明】
【００２８】
Ｄ，Ｋ  ペット
２  個別小展示区画
３  共通大展示区画
４  個別ペット収納部
４Ｄ  子犬用収納部
４Ｋ  子猫用収納部
５  個別収容空間
６  第一の展示用壁部
７  放し飼い空間
８  第二の展示用壁部
９  視認可能領域
１０  壁部領域
１１  開放窓部領域
１２  ペット管理スペース
１３  出入り口
１３，１４  扉
１６  出し入れ口
１８  排気ダクト
２１  遊具施設
２２  ステップ
２３  トイレ
【図１】
0003104277.tif 000003
【図２】
0003104277.tif 000004
【図３】
0003104277.tif 000005
【図４】
0003104277.tif 000006
【図５】
0003104277.tif 000007
【図６】
0003104277.tif 000008
【図７】
0003104277.tif 000009